【手続補正書】
【提出日】平成19年8月9日(2007.8.9)
【手続補正１】
【補正対象書類名】特許請求の範囲
【補正対象項目名】全文
【補正方法】変更
【補正の内容】
【特許請求の範囲】
【請求項１】
ユニット識別情報及び画像圧縮データを含むとともに、参照先ユニット情報を含む第１のユニット（Ｐ）と、ユニット識別情報を含むとともに前記画像圧縮データを復号するために参照されるピクチャ・パラメータ・セットを含み、また参照先ユニット情報を含む第２のユニット（ＰＰＳ)と、ユニット識別情報を含むとともにストリームを復号するために参照されるシーケンス・パラメータ・セットを含む第３のユニット（ＳＰＳ）とを、それぞれ複数個時系列方向に配置したストリームおいて、
前記シーケンス・パラメータ・セット（ＳＰＳ）は、所属する第４のユニット（ＧＯＶＵ２）のシーケンス全体に係わる情報であり、少なくともプロファイル、レベル、シーケンス全体の符号化モードに係わる情報をさらに含み、
前記ピクチャ・パラメータ・セット（ＰＰＳ）は、関連したピクチャ全体に係わる情報であり、少なくともエントロピー符号化モード、ピクチャ単位の量子化パラメータ初期値の符号化モードに係わる情報を含み
前記ストリーム上で前記第１、第２、第３のユニットをそれぞれ複数含む第４のユニット（ＧＯＶＵ）を複数定義し、
前記第２のユニット（ＰＰＳ）に含まれる参照先ユニット情報が、前記第４のユニット（ＧＯＶＵ）内に存在する第３のユニット（ＳＰＳ）のユニット識別情報を指定する構成とした、
符号化ストリームの生成方法。
【請求項２】
請求項１の方法において、
前記各第１のユニット（Ｐ）に含まれる参照先ユニット情報は、前記第４のユニット（ＧＯＶＵ）内に存在する第２のユニット（ＰＰＳ）のユニット識別情報を指定している
符号化ストリームの生成方法。
【請求項３】
ユニット識別情報及び画像圧縮データを含むとともに、参照先ユニット情報を含む第１のユニット（Ｐ）と、
ユニット識別情報を含むとともに前記画像圧縮データを復号するために参照されるピクチャ・パラメータ・セットを含み、また参照先ユニット情報を含む第２のユニット（ＰＰＳ)と、
ユニット識別情報を含むとともにストリームを復号するために参照されるシーケンス・パラメータ・セットを含む第３のユニット（ＳＰＳ）とを、
それぞれ複数個時系列方向に配置したストリームおいて、
前記ストリームを所定の情報単位で区切り、かつこの情報単位内に前記第１、第２、第３のユニットを含むようにした第４のユニット（ＧＯＶＵ）を定義し、
前記第２のユニット（ＰＰＳ）に含まれる参照先ユニット情報は、この第２のユニット（ＰＰＳ）を含む前記第４のユニット（ＧＯＶＵ）内に存在する第３のユニット（ＳＰＳ）のユニット識別情報を指定する、
符号化ストリームの生成方法。
【請求項４】
請求項３の方法において、
前記各第１のユニット（Ｐ）に含まれる参照先ユニット情報は、この第１のユニット（Ｐ）を含む前記第４のユニット（ＧＯＶＵ）内に存在する第２のユニット（ＰＰＳ）のユニット識別情報を指定している
符号化ストリームの生成方法。
【請求項５】
請求項３の方法において、
前記シーケンス・パラメータ・セット（ＳＰＳ）は、所属する第４のユニット（ＧＯＶＵ２）のシーケンス全体に係わる情報であり、少なくともプロファイル、レベル、シーケンス全体の符号化モードに係わる情報をさらに含み、
前記ピクチャ・パラメータ・セット（ＰＰＳ）は、関連したピクチャ全体に係わる情報であり、少なくともエントロピー符号化モード、ピクチャ単位の量子化パラメータ初期値の符号化モードに係わる情報を含む
符号化ストリームの生成方法。
【請求項６】
請求項５の方法において、
前記シーケンス・パラメータ・セットのユニット（ＳＰＳ）は、前記第４のユニット（ＧＯＶＵ２）内に１個存在するようにした符号化ストリームの生成方法。
【請求項７】
請求項５の方法において、
前記第４のユニット（ＧＯＶＵ）内の複数の前記ピクチャ・パラメータ・セットのユニットは、前記第４のユニット内の同一のシーケンス・パラメータ・セットのユニットを参照するように関連付けられる
符号化ストリームの生成方法。
【請求項８】
請求項５の方法において、
前記第４のユニット（ＧＯＶＵ）前記第１のユニット（Ｐ）は、常に復号順で直前のピクチャ・パラメータ・セットのユニットを参照するように関連付けられる
符号化ストリームの生成方法。
【請求項９】
請求項５の方法において、
復号順で、第１のユニット（Ｐ）が参照するパラメータ・セット内容と、次の第１のユニット（Ｐ）が参照するパラメータ・セット内容が異なる場合には、前記次の第１のユニット（Ｐ）に新たなピクチャ・パラメータ・セットのユニットを関連つけて配置する
符号化ストリームの生成方法。
【請求項１０】
ユニット識別情報及び画像圧縮データを含むとともに、参照先ユニット情報を含む第１のユニット（Ｐ）と、ユニット識別情報を含むとともに前記画像圧縮データを復号するために参照されるピクチャ・パラメータ・セットを含み、また参照先ユニット情報を含む第２のユニット（ＰＰＳ）と、ユニット識別情報を含むとともにストリームを復号するために参照されるシーケンス・パラメータ・セットを含む第３のユニット（ＳＰＳ）とをそれぞれ複数個時系列方向に配置したストリーム（ＥＶＯＢＵ）を得る符号化装置において、
前記ストリームを所定の情報単位で区切り、かつこの情報単位内に前記第１、第２及び第３のユニットを含むようにした第４のユニット（ＧＯＶＵ）を定義する第４のユニット設定部と、
第２のユニット（ＰＰＳ）に含まれる参照先ユニット情報は、この第２のユニット（ＰＰＳ）を含む第４のユニット（ＧＯＶＵ）内に存在する第３のユニット（ＳＰＳ）のユニット識別情報を指定するように設定するユニット管理部と、
を有した動画像符号化装置。
【請求項１１】
請求項１０の装置において、
前記ユニット管理部は、さらに、前記各第１のユニット（Ｐ）に含まれる参照先ユニット情報が、この第１のユニット（Ｐ）を含む前記第４のユニット（ＧＯＶＵ）内に存在する第２のユニット（ＰＰＳ）のユニット識別情報を指定しているように設定する。
【請求項１２】
請求項１０の装置において、
前記シーケンス・パラメータ・セットは、所属する第４のユニットのシーケンス全体に係わる情報であり、少なくともプロファイル、レベル、シーケンス全体の符号化モードに係わる情報をさらに含め、
前記ピクチャ・パラメータ・セットは、関連したピクチャ全体に係わる情報であり、少なくともエントロピー符号化モード、ピクチャ単位の量子化パラメータ初期値の符号化モードに係わる情報をさらに含めるようにした管理手段を有する動画像符号化装置。
【請求項１３】
請求項１２の装置において、
前記シーケンス・パラメータ・セットのユニット（ＳＰＳ）は、前記第４のユニット（ＧＯＶＵ）内に１個存在するように管理する手段を有する動画符号化装置。
【請求項１４】
請求項１２の装置において、
前記第４のユニット（ＧＯＶＵ）内の複数の前記ピクチャ・パラメータ・セットのユニットは、前記第４のユニット（ＧＯＶＵ）内の同一のシーケンス・パラメータ・セットのユニットを参照するように関連付けられるように管理する手段を有する動画像符号化装置。
【請求項１５】
請求項１４の装置において、
前記第４のユニット（ＧＯＶＵ）内で前記第１のユニット（Ｐ）は、常に復号順で直前のピクチャ・パラメータ・セットのユニットを参照するように関連付けられるようにした動画像符号化装置。
【請求項１６】
請求項１２の装置において、
復号順で、第１のユニット（Ｐ）が参照するパラメータ・セット内容と、次の第１のユニット（Ｐ）が参照するパラメータ・セット内容が異なる場合には、前記次の第１のユニット（Ｐ）の直前に新たなピクチャ・パラメータ・セットのユニットを配置する手段を有する動画像符号化装置。
【請求項１７】
ユニット識別情報及び画像圧縮データを含むとともに、参照先ユニット情報を含む第１のユニット（Ｐ）と、
ユニット識別情報を含むとともに前記画像圧縮データを復号するために参照されるピクチャ・パラメータ・セットを含み、また参照先ユニット情報を含む第２のユニット（ＰＰＳ）と、
ユニット識別情報を含むとともにストリームを復号するために参照されるシーケンス・パラメータ・セットを含む第３のユニット（ＳＰＳ）とを、
それぞれ複数個時系列方向に配列し、
さらに前記配列を所定の情報単位で区切り、かつこの情報単位内に前記第１、第２及び第３のユニットを含むようにした第４のユニット（ＧＯＶＵ）が定義され、第２のユニット（ＰＰＳ）に含まれる参照先ユニット情報は、この第１のユニット（Ｐ）を含む第４のユニット内に存在する第３のユニット（ＳＰＳ）の識別情報のみに設定しているストリームを復号する装置であって、
前記ストリームから第２、第３のユニットを検出する（ＳＢ２、ＳＢ３）ことにより、前記第４のユニットの区分処理を行う（ＳＢ５）とともに、検出した第４のユニットに含まれるパラメータ・セットを画像圧縮データのデコード用に設定する手段（ＳＢ６、ＳＢ７）と、
前記ストリームから第１のユニット（Ｐ）を検出し（ＳＢ４）、検出した第１のユニット（Ｐ）に含まれる前記画像圧縮データをデコード部に供給する手段（ＳＢ８）と、
を具備した動画像復号装置。
【請求項１８】
請求項１７の装置において、
前記第２のユニットは、ピクチャ・パラメータ・セットのユニットであり、前記第３のユニットは、シーケンス・パラメータ・セットのユニットであり、
前記シーケンス・パラメータ・セットは、所属する第４のユニットのシーケンス全体に係わる情報であり、少なくともプロファイル、レベル、シーケンス全体の符号化モードに係わる情報をさらに含み、
前記ピクチャ・パラメータ・セットは、関連したピクチャ全体に係わる情報であり、少なくともエントロピー符号化モード、ピクチャ単位の量子化パラメータ初期値の符号化モードに係わる情報をさらに含むようにした動画像復号装置。
【請求項１９】
ユニット識別情報及び画像圧縮データを含むとともに、参照先ユニット情報を含む第１のユニット（Ｐ）と、
ユニット識別情報を含むとともに前記画像圧縮データを復号するために参照されるピクチャ・パラメータ・セットを含み、また参照先ユニット情報を含む第２のユニット（ＰＰＳ)と、
ユニット識別情報を含むとともにストリームを復号するために参照されるシーケンス・パラメータ・セットを含む第３のユニット（ＳＰＳ）とを、
それぞれ複数個時系列方向に配置したストリームおいて、
前記ストリームを所定の情報単位で区切り、かつこの情報単位内に前記第１、第２、第３のユニットを含むようにした第４のユニット（ＧＯＶＵ）を定義し、
前記ピクチャ・パラメータ・セットとシーケンス・パラメータ・セットが、前記第１のユニットの中の１つであって、前記第４のユニットの中で最初にデコードされる第１のユニットに関連付けされていることを特徴とする
符号化ストリームの生成方法。
【請求項２０】
請求項１９において、
前記各第２のユニット（PPS）に含まれる参照先ユニット情報は、この第２のユニット（PPS）を含む前記第４のユニット（ＧＯＶＵ）内に存在する第３のユニット（SPS）のユニット識別情報を指定し、
前記各第１のユニット（P)に含まれる参照先ユニット情報は、この第１のユニット（P)を含む前記第４のユニット（GOVU)内に存在する前記第２のユニット（PPS)のユニット識別情報を指定する、
符号化ストリームの生成方法。
【請求項２１】
請求項２０において、
前記シーケンス・パラメータ・セット（ＳＰＳ）は、所属する第４のユニット（ＧＯＶＵ２）のシーケンス全体に係わる情報であり、少なくともプロファイル、レベル、シーケンス全体の符号化モードに係わる情報をさらに含み、
前記ピクチャ・パラメータ・セット（ＰＰＳ）は、関連したピクチャ全体に係わる情報であり、少なくともエントロピー符号化モード、ピクチャ単位の量子化パラメータ初期値の符号化モードに係わる情報を含む
符号化ストリームの生成方法。
【請求項２２】
請求項２０において、
前記シーケンス・パラメータ・セットのユニット（ＳＰＳ）は、前記第４のユニット（ＧＯＶＵ２）内に１個存在するようにした符号化ストリームの生成方法。
【請求項２３】
請求項２０の方法において、
前記第４のユニット（ＧＯＶＵ）内の複数の前記ピクチャ・パラメータ・セットのユニットは、前記第４のユニット内の同一のシーケンス・パラメータ・セットのユニットを参照するように関連付けられる
符号化ストリームの生成方法。
【請求項２４】
請求項２０の方法において、
前記第４のユニット（ＧＯＶＵ）前記第１のユニット（Ｐ）は、常に復号順で直前のピクチャ・パラメータ・セットのユニットを参照するように関連付けられる
符号化ストリームの生成方法。
【請求項２５】
請求項２０の方法において、
復号順で、第１のユニット（Ｐ）が参照するパラメータ・セット内容と、次の第１のユニット（Ｐ）が参照するパラメータ・セット内容が異なる場合には、前記次の第１のユニット（Ｐ）に新たなピクチャ・パラメータ・セットのユニットを関連つけて配置する
符号化ストリームの生成方法。
【請求項２６】
ユニット識別情報及び画像圧縮データを含むとともに、参照先ユニット情報を含む第１のユニット（Ｐ）と、ユニット識別情報を含むとともに前記画像圧縮データを復号するために参照されるピクチャ・パラメータ・セットを含み、また参照先ユニット情報を含む第２のユニット（ＰＰＳ）と、ユニット識別情報を含むとともにストリームを復号するために参照されるシーケンス・パラメータ・セットを含む第３のユニット（ＳＰＳ）とをそれぞれ複数個時系列方向に配置したストリーム（ＥＶＯＢＵ）を得る符号化装置において、
前記ストリームを所定の情報単位で区切り、かつこの情報単位内に前記第１、第２及び第３のユニットを含むようにした第４のユニット（ＧＯＶＵ）を定義する第４のユニット設定部と、
前記第１のユニットの中の１つであって、前記第４のユニット（ＧＯＶＵ）の中で最初にデコードされる第１のユニットに、前記ピクチャ・パラメータ・セットとシーケンス・パラメータ・セットを関連付けするユニット管理部と、
を有した動画像符号化装置。
【請求項２７】
請求項２６の装置において、
前記ユニット管理部は、さらに、
前記各第２のユニット（PPS）に含まれる参照先ユニット情報が、この第２のユニット（PPS）を含む前記第４のユニット（ＧＯＶＵ）内に存在する第３のユニット（SPS）のユニット識別情報を指定するように設定する手段と、
前記各第１のユニット（P)に含まれる参照先ユニット情報が、この第１のユニット（P)を含む前記第４のユニット（GOVU)内に存在する前記第２のユニット（PPS)のユニット識別情報を指定するように設定する手段を含む、
ことを特徴とする動画像符号化装置。
【請求項２８】
請求項２６の装置において、
前記シーケンス・パラメータ・セットは、所属する第４のユニットのシーケンス全体に係わる情報であり、少なくともプロファイル、レベル、シーケンス全体の符号化モードに係わる情報をさらに含め、
前記ピクチャ・パラメータ・セットは、関連したピクチャ全体に係わる情報であり、少なくともエントロピー符号化モード、ピクチャ単位の量子化パラメータ初期値の符号化モードに係わる情報をさらに含めるようにした管理手段を有する動画像符号化装置。
【請求項２９】
請求項２６の装置において、
前記シーケンス・パラメータ・セットのユニット（ＳＰＳ）は、前記第４のユニット（ＧＯＶＵ）内に１個存在するように管理する手段を有する動画符号化装置。
【請求項３０】
請求項２６の装置において、
前記第４のユニット（ＧＯＶＵ）内の複数の前記ピクチャ・パラメータ・セットのユニットは、前記第４のユニット（ＧＯＶＵ）内の同一のシーケンス・パラメータ・セットのユニットを参照するように関連付けられるように管理する手段を有する動画像符号化装置。
【請求項３１】
請求項２６の装置において、
前記第４のユニット（ＧＯＶＵ）内で前記第１のユニット（Ｐ）は、常に復号順で直前のピクチャ・パラメータ・セットのユニットを参照するように関連付けられるようにした動画像符号化装置。
【請求項３２】
請求項２６の装置において、
復号順で、第１のユニット（Ｐ）が参照するパラメータ・セット内容と、次の第１のユニット（Ｐ）が参照するパラメータ・セット内容が異なる場合には、前記次の第１のユニット（Ｐ）の直前に新たなピクチャ・パラメータ・セットのユニットを配置する手段を有する動画像符号化装置。
【請求項３３】
ユニット識別情報及び画像圧縮データを含むとともに、参照先ユニット情報を含む第１のユニット（Ｐ）と、
ユニット識別情報を含むとともに前記画像圧縮データを復号するために参照されるピクチャ・パラメータ・セットを含み、また参照先ユニット情報を含む第２のユニット（ＰＰＳ）と、
ユニット識別情報を含むとともにストリームを復号するために参照されるシーケンス・パラメータ・セットを含む第３のユニット（ＳＰＳ）とを、
それぞれ複数個時系列方向に配列し、
さらに前記配列を所定の情報単位で区切り、かつこの情報単位内に前記第１、第２及び第３のユニットを含むようにした第４のユニット（ＧＯＶＵ）が定義され、
前記ピクチャ・パラメータ・セットとシーケンス・パラメータ・セットが、前記第１のユニットの中の１つであって、前記第４のユニットの中で最初にデコードされる第１のユニットに関連付けされているストリームを復号する装置であって、
前記ストリームから第２、第３のユニットを検出する（ＳＢ２、ＳＢ３）ことにより、前記第４のユニットの区分処理を行う（ＳＢ５）とともに、検出した第４のユニットに含まれるパラメータ・セットを画像圧縮データのデコード用に設定する手段（ＳＢ６、ＳＢ７）と、
前記ストリームから第１のユニット（Ｐ）を検出し（ＳＢ４）、検出した第１のユニット（Ｐ）に含まれる前記画像圧縮データをデコード部に供給する手段（ＳＢ８）と、
を具備した動画像復号装置。
【請求項３４】
請求項３３の装置において、
前記第２のユニットは、ピクチャ・パラメータ・セットのユニットであり、前記第３のユニットは、シーケンス・パラメータ・セットのユニットであり、
前記シーケンス・パラメータ・セットは、所属する第４のユニットのシーケンス全体に係わる情報であり、少なくともプロファイル、レベル、シーケンス全体の符号化モードに係わる情報をさらに含み、
前記ピクチャ・パラメータ・セットは、関連したピクチャ全体に係わる情報であり、少なくともエントロピー符号化モード、ピクチャ単位の量子化パラメータ初期値の符号化モードに係わる情報をさらに含むようにした動画像復号装置。
【手続補正２】
【補正対象書類名】明細書
【補正対象項目名】００１３
【補正方法】変更
【補正の内容】
【００１３】
この発明に係る一実施例では、基本的にはユニット識別情報及び画像圧縮データを含むとともに、参照先ユニット情報を含む第１のユニット（Ｐ）と、ユニット識別情報を含むとともに前記画像圧縮データを復号するために参照されるピクチャ・パラメータ・セットを含み、また参照先ユニット情報を含む第２のユニット（ＰＰＳ)と、ユニット識別情報を含むとともにストリームを復号するために参照されるシーケンス・パラメータ・セットを含む第３のユニット（ＳＰＳ）とを、それぞれ複数個時系列方向に配置したストリームおいて、前記ストリームを所定の情報単位で区切り、かつこの情報単位内に前記第１、第２、第３のユニットを含むようにした第４のユニット（ＧＯＶＵ）を定義し、前記第２のユニット（ＰＰＳ）に含まれる参照先ユニット情報は、この第２のユニット（ＰＰＳ）を含む前記第４のユニット（ＧＯＶＵ）内に存在する第３のユニット（ＳＰＳ）のユニット識別情報を指定する符号化ストリームを生成し又処理するものである。